(57)【要約】【課題】夜間、歩行者を歩道から横断歩道に或は横断歩道から車道に安全に誘導することができ、構造が簡単で安価に製造することが可能な縁石ブロック装置を提供する。【解決手段】車道と歩道の境界に沿って敷設される縁石ブロックのブロック本体２内に発光器５が配設される。ブロック本体２がリサイクルプラスチックを材料として所定の形状に成形され、ブロック本体２内には上部を開口して発光室３と蓄電室４が形成される。発光器５にはＬＥＤ５１とＬＥＤを発光制御する制御基板５４が設けられ、発光室３の上面を覆って面発光透明板６が固定される。面発光透明板６の内側面の略全体に光拡散面６１が形成される。蓄電室４内に蓄電体７が配設され、蓄電室４の上面を覆うように太陽電池パネル８が取り付けられる。【選択図】図１
2006207276.tif 000002
【特許請求の範囲】
【請求項１】
車道と歩道の境界に沿って敷設される縁石ブロックのブロック本体内に発光器が配設され、該発光器の発光により光を放射する縁石ブロック装置において、
該ブロック本体がリサイクルプラスチックを材料として所定の形状に成形され、該ブロック本体内には上部を開口して発光室と蓄電室が形成され、該発光室内に発光器が配設され、該発光器にはＬＥＤと該ＬＥＤを発光制御する制御基板が設けられ、該発光室の上面を覆って面発光透明板が固定され、該面発光透明板の内側面または外側面或いは内部の略全体に、光拡散面または光拡散層が形成され、該蓄電室内に蓄電体が配設され、該蓄電室の上面を覆うように太陽電池パネルが取り付けられたことを特徴とする縁石ブロック装置。
【請求項２】
前記発光器に、有色光を発光するＬＥＤが配設されたことを特徴とする請求項１記載の縁石ブロック装置。
【請求項３】
前記蓄電体として電気二重層コンデンサが配設されたことを特徴とする請求項１記載の縁石ブロック装置。
【請求項４】
前記ブロック本体の下部に、アンカーピンが横方向に突出して設けられたことを特徴とする請求項１記載の縁石ブロック装置。
【発明の詳細な説明】
【技術分野】
【０００１】
本発明は、車道と歩道の境界に沿って設置される縁石ブロック装置に関し、特に上面を面発光させて歩行者に注意を促すようにした縁石ブロック装置に関する。
【背景技術】
【０００２】
車道と歩道を分けるために、車道と歩道の境界に縁石ブロックが敷設される場合がある。明るい昼間にあっては、歩行者には縁石ブロックが良く見えるため、安全に歩行することができるが、夜間に縁石ブロックの周囲が暗くなる場合には、歩行者が縁石ブロックを視認しにくいため、特に、歩行者が道路を横断使用する際に、縁石ブロックの段差に足を取られてつまずき易いという問題があった。
【特許文献１】特開平８−３９４８号公報
【特許文献２】特開２００２−１３８４２６号公報
【発明の開示】
【発明が解決しようとする課題】
【０００３】
そこで、従来、車道と歩道を分けるように道路に設置される縁石ブロックにおいて、ブロック本体内に発光ダイオードを収納し、側壁の一部に設けた透明カバーから歩道側に光を照射する構造の境界ブロック発光装置が、上記特許文献１等で提案されている。
【０００４】
しかしながら、この境界ブロック発光装置は、夜間、発光ダイオードが点灯して歩道側を照明することができるものの、歩行者にはどの程度の高さの縁石ブロックが設置されているのかを認識しにくいという問題があった。特に、縁石ブロックが設置されている歩道付きの車道に横断歩道が接続されている場所、歩行者が横断歩道を車道側から歩道側へ或は歩道側から車道側へと進む際、縁石ブロックの側部に設けた発光ダイオードが歩道側を照明しているのみであるため、歩行者には縁石ブロックの高さが認識しにくく、縁石ブロックの端部を跨ぐ際等に、縁石ブロックにつまずき易いという問題があった。
【０００５】
そこで、本願発明者らは、上記特許文献２において、歩行者に認識されやすい状態で良好に発光する縁石ブロック発光装置を提案した。この従来の縁石ブロック発光装置は、有色光放射部から有色光を良好に放射させて、歩行者に注意を喚起し、歩道上を良好に照明して歩行者を歩道に導くことができるものの、構造が複雑化し、製造コストが増大する課題があった。
【０００６】
本発明は、上記の点に鑑みてなされたもので、夜間、歩行者を歩道から横断歩道に或は横断歩道から車道に安全に誘導することができ、構造が簡単で安価に製造することが可能な縁石ブロック装置を提供することを目的とする。
【課題を解決するための手段】
【０００７】
上記目的を達成するために、本発明の縁石ブロック装置は、車道と歩道の境界に沿って敷設される縁石ブロックのブロック本体内に発光器が配設され、該発光器の発光により光を放射する縁石ブロック装置において、該ブロック本体がリサイクルプラスチックを材料として所定の形状に成形され、該ブロック本体内には上部を開口して発光室と蓄電室が形成され、該発光室内に該発光器が配設され、該発光器にはＬＥＤと該ＬＥＤを発光制御する制御基板が設けられ、該発光室の上面を覆って面発光透明板が固定され、面発光透明板の内側面または外側面或いは内部の略全体に、光拡散面または光拡散層が形成され、該蓄電室内に蓄電体が配設され、該蓄電室の上面を覆うように太陽電池パネルが取り付けられたことを特徴とする。
【０００８】
ここで、上記縁石ブロック装置においては、請求項２のように、上記発光器には、有色光を発光するＬＥＤを配設することができる。また、請求項３のように、上記蓄電体として、電気二重層コンデンサを配設することができる。さらに、請求項４のように、上記ブロック本体の下部に、アンカーピンを横方向に突出して設けることができる。
【発明の効果】
【０００９】
上記構成の縁石ブロック装置は、そのブロック本体がリサイクルプラスチックにより成形されるため、安価にそして地球環境を配慮して製作することができる。また、その構造は、ブロック本体内に形成した発光室に発光器を取り付け、その上面を覆うように、透明板を取り付けるだけの簡単な構造のため、装置を安価に製作することができる。
【００１０】
この縁石ブロック装置の縁石ブロックは、例えば、水平上面を有するブロックと共に、徐々に高さが異なり傾斜した上面を有する縁石ブロックも形成され、それらが歩道と車道の境界部分に、順に並べて敷設される。歩道に横断歩道が接続されている場合、その横断歩道に近づくにつれ、縁石ブロックの高さが徐々に低くなるように、複数の縁石ブロックは傾斜上面をもって敷設される。
【００１１】
夜間、各縁石ブロック装置内の発光器は、蓄電体から供給される電力により点灯（点滅を含む）し、その光は発光器上面の面発光透明板から上方に放射される。そして、面発光透明板の内側面または外側面或いは内部の略全体に、光拡散面または光拡散層が形成されているため、発光器の上面全体が面発光される。したがって、歩行者は、その面発光される縁石ブロックを、眩しさを感じずに良好に遠くからでも容易に認識することができる。このため、歩行者が目の弱い高齢者或は障害者であっても、面発光する縁石ブロックの上面を容易に認識して、注意が喚起され、縁石ブロックにつまずかせずに、歩行者を安全に誘導することができる。
【００１２】
また、有色光を発光するＬＥＤを発光器に配設すれば、光透過率を低下させる着色フィルタなどを使用せずに、注意を喚起しやすい黄色などの有色光を放射することができ、充分な光量で透明板全体を面発光させることができる。さらに、ブロック本体の下部にアンカーピンを突設することにより、縁石ブロックを敷設する際、アスファルト路面などの内部にアンカーピンを埋設して、強固に縁石ブロックを固定することができる。
【発明を実施するための最良の形態】
【００１３】
以下、本発明の実施の形態を図面に基づいて説明する。図１は縁石ブロック装置の代表的な縁石ブロック１の斜視図を示している。縁石ブロック１のブロック本体２は、リサイクルプラスチックを合成樹脂材料として、上面を傾斜させた台形ブロック状に型成形されている。リサイクルプラスチックとしては、ポリエチレン、ポリスチレンなどのマテリアルリサイクルプラスチックを使用することができ、成形されたブロック本体２は、コンクリートに比べ軽量で、充分な強度を有したものである。
【００１４】
ブロック本体２内には、図５に示すように、発光室３と蓄電室４が形成される。この発光室３と蓄電室４は、上面を開口して形成され、底部には肉抜きのために凹部が形成されている。また、ブロック本体２の正面と背面の下部には、各々２本のアンカーピン１０が横方向に突き出すように固定され、埋設時にアンカー作用によって強固に固定されるようにしている。
【００１５】
発光室３には、発光器５が配設される。発光器５は、図６に示すように、取付基板５３上の両側に複数のＬＥＤ（発光ダイオード）５１を取り付けて構成される。取付基板５３の上面には反射板５２が取り付けられ、下面には、制御回路を実装した制御基板５４が取り付けられている。ＬＥＤ５１としては有色光（例えば黄色光）を放射するＬＥＤが使用される。
【００１６】
制御基板５４に実装される制御回路の構成は、図示を省略してあるが、後述する太陽電池パネル８で昼間に発電された電力を蓄電体７に充電する充電回路、発電を停止する夜間に蓄電体７の電力をＬＥＤ５１に供給するように切り換え、点灯駆動する点灯制御回路、及び、太陽電池パネル８の電圧に基づき昼夜を判別する昼夜判別回路など、から構成され、制御回路は、昼夜判別回路が夜を判別した時、ＬＥＤ点灯回路をオンしＬＥＤ５１を点灯させるように動作する。
【００１７】
発光室３の開口した上面は、面発光透明板６によって覆うように閉鎖される。面発光透明板６は、透明はポリカーボネート樹脂により板状に成形され、面発光透明板６の内側面には、なし地加工などを施すことにより、光を拡散させる光拡散面６１が略全体に形成されている。
【００１８】
なお、ここでは、面発光透明板６の内側面に光拡散面６１を形成したが、下方から光を照射して全体を面発光させる場合、透明板の内部に光拡散層を形成したもの（光拡散剤を入れた透明合成樹脂材料により透明板を成形したもの）でもよく、或は、透明板の外側面に光拡散面を形成して面発光させることもできる。
【００１９】
これにより、発光室３内に取り付けた発光器５の複数のＬＥＤ５１から光が直接或は反射板５２を介して上方に向けて放射され、光がその面発光透明板６の内側の光拡散面６１に当ると、光は全体に拡散しながら面発光透明板６内に進入する。この拡散光は、面発光透明板６から外側（上方）に放射され、面発光透明板６は面発光を行って、面発光透明板６の全体が例えば黄色に発光する。また、面発光透明板６の上面には滑り止め凹凸部６２が形成され、歩行者が誤ってこの上に足をかけた場合でも、滑りにくくしている。
【００２０】
一方、ブロック本体２の蓄電室４内には、蓄電体７が収納される。蓄電体７には、例えば電気二重層コンデンサが使用され、太陽電池パネル８で発電された電力が蓄電体７の電気二重層コンデンサに蓄電される。電気二重層コンデンサは、活性炭を電極とし、電解液として希硫酸を使用し、両極の電極間にスペーサを介在させた構造であり、通常の二次電池に比べそのパワー密度が1桁大きく、急速充電と共に大電流の急速放電が可能である。また、充放電回数が略無制限に可能であり、メインテナンスを必要としないなど、縁石ブロック内で使用される蓄電体として最適な性能を持つものである。
【００２１】
蓄電室４の上部開口部には、太陽電池パネル８がその開口部を覆って閉鎖するように取り付けられ、さらに太陽電池パネル８の上面には、透明ポリカーボネート樹脂製の保護透明板９が太陽電池パネル８を覆うように固定される。太陽電池パネル８は、昼間に太陽光を受けて起電力を発生し、充電回路を通して充電電流を蓄電体７に供給し、蓄電体７に蓄電を行なう。
【００２２】
上記構成の縁石ブロック１は、その上面の高さや傾斜角度が異なる複数の縁石ブロック１a〜１ｃが図７に示すように製作され、それらの縁石ブロック１a〜１ｃは、図７に示すように、例えば歩道と車道の境界部分などに並べて敷設される。なお、上面を水平にしたコンクリート製の縁石ブロックを製作し、傾斜した縁石ブロック１ａに続いて、それらのコンクリート製の縁石ブロックを接続するよに並べて設置することもできる。
【００２３】
このような縁石ブロック１ａ〜１ｃの設置は、それらのブロック本体２の底部をアスファルトなどの舗装部分に埋設して行い、このとき、ブロック本体２から水平に突出したアンカーピン１０も共に埋設され、縁石ブロックは充分な固定強度をもって設置される。
【００２４】
昼間、各縁石ブロック１ａ〜１ｃの太陽電池パネル８は、太陽光を受けて起電力を発生し、充電回路を通してそれを蓄電体７に充電する。夜間になって、昼夜判別回路が夜の判定信号を出力すると、制御回路の動作によって点灯回路が発光器５のＬＥＤ５１を点灯駆動し、ＬＥＤ５１が点灯する。
【００２５】
これらの縁石ブロック１ａ〜１ｃ内の発光器５のＬＥＤ５１から放射された黄色光は、直接或は反射板５２などで反射されて、上面の面発光透明板６の内側面の光拡散面６１に当り、その光拡散面６１で拡散された拡散光が、面発光透明板６を通過して上方に放射される。このため、面発光透明板６はその略全体が面発光を行なうように光り、黄色光がその面発光透明板６の上面全体に放射される。
【００２６】
一般に、夜間の暗い状態で、点光源などを直接見ると、眩しさを感じてその周囲のものが良好に視認できなくなるが、面発光透明板６の内側面の光拡散面６１により面発光透明板６が面発光する縁石ブロックでは、歩行者が目の弱い高齢者或は障害者であっても、眩しさを感じずにそれを見て、縁石ブロックがあることを認識し、その周囲の状態をも容易に視認することができる。よって、高齢者などの歩行者は、その位置に縁石ブロック１ａ〜１ｃが敷設されていることを認識し、縁石ブロックを跨ぐ等の際には注意を喚起される。このため、歩行者が目の弱い高齢者或は障害者であっても、夜間、歩道と車道の境界部分を容易に認識し、その場所を安全に歩くことができる。
【００２７】
また、歩行者が例えば横断歩道を車道側から歩道側へ或は歩道側から車道側へと、縁石ブロック１ａ〜１ｃを跨いで進む際、歩行者には縁石ブロック１ａ〜１ｃの上面に設けた面発光透明板６から黄色光が面状に放射されるため、歩行者にはその縁石ブロックの高さが容易に認識されると共に、注意が喚起され、歩行者が目の弱い高齢者や障害者であっても、縁石ブロック１ａ〜１ｃにつまずかせずに、安全に誘導することができる。
【００２８】
なお、本発明の縁石ブロック装置は、上記実施形態に限定されるものではなく、以下のような態様でも実施することができる。
【００２９】
1)上記実施形態では、黄色光のＬＥＤを連続点灯させたが、点滅回路を設けてＬＥＤを点滅させることもでき、また赤色、青色、オレンジ色などの有彩色で発光するＬＥＤを使用することもできる。また、ＬＥＤを点滅させる場合、他の縁石ブロック１ａ〜１ｃのＬＥＤと同期点滅させ、或はこれらの縁石ブロック１ａ〜１ｃと共にリレー点滅動作をさせることもできる。
【００３０】
2)上記実施例では、昼夜判別回路からの夜判別信号に基づき、ＬＥＤを点灯させたが、人体検出器を縁石ブロック１内或はその近傍に設置し、夜間に夜判別信号が出力された状態で、人体検出器が人の接近を検出した時、ＬＥＤを点灯または点滅させることもできる。
【００３１】
3)さらに、人体検出器が人の接近を検出した時、ＬＥＤの点灯・点滅と共に、注意を促す音声を発生する音声発生器を、縁石ブロック内またはその近傍に設けることもできる。
【００３２】
以上説明したように、本発明の縁石ブロック装置によれば、そのブロック本体がリサイクルプラスチックにより成形されるため、安価にそして地球環境を配慮して製作することができる。また、その構造は、ブロック本体内に形成した発光室に発光器を取り付け、その上面を覆うように、透明板を取り付けるだけの簡単な構造のため、装置を安価に製作することができる。また、発光器上面には面発光透明板が設けられ、面発光透明板の内側面または外側面或いは内部の略全体に設けた光拡散面または光拡散層によって、略透明板全体が面発光されるから、歩行者が目の弱い高齢者或は障害者であっても、その面発光される縁石ブロックの上面を、眩しさを感じずに視認できると共に、周囲の状況も容易に認識することができ、縁石ブロックにつまずかせずに、歩行者を安全に誘導することができる。
【図面の簡単な説明】
【００３３】
【図１】本発明の一実施形態を示す縁石ブロックの斜視図である。
【図２】縁石ブロックの正面図である。
【図３】同縁石ブロックの平面図である。
【図４】同縁石ブロックの左側面図である。
【図５】同縁石ブロックの断面図である。
【図６】同縁石ブロックの拡大部分断面図である。
【図７】縁石ブロックの使用状態を示す斜視図である。
【符号の説明】
【００３４】
１、１ａ〜１ｃ−縁石ブロック
２−ブロック本体
３−発光室
４−蓄電室
５−発光器
５１−ＬＥＤ
６−面発光透明板
６１−光拡散面
７−蓄電体
８−太陽電池パネル
１０−アンカーピン
【図１】
2006207276.tif 000003
【図２】
2006207276.tif 000004
【図３】
2006207276.tif 000005
【図４】
2006207276.tif 000006
【図５】
2006207276.tif 000007
【図６】
2006207276.tif 000008
【図７】
2006207276.tif 000009